(57)【特許請求の範囲】
【請求項１】
靴底（５１）の底面（５２）を支持可能な底面支持部（１１）と、
この底面支持部（１１）に靴底（５１）の底面（５２）が当接するように配置される靴（５０）の左右に配置され、前記底面支持部（１１）から前記靴（５０）の履き口（５３）の左右に伸びる左右支持部（１２，１２）と、
正面視で、これら左右支持部（１２，１２）の上部同士を湾曲状に連結し、上方に湾曲して靴（５０）の拘束を解放可能する解放位置（Ｐ１）と、下方に湾曲して前記履き口（５３）から靴（５０）の内方（５４）に入り靴（５０）の動きを拘束する拘束位置（Ｐ２）とを選択的に取り得る、可撓性を有するアーチ部（２０）と、
洗濯機の内面、脱水機の内面、または、乾燥機の内面に取付可能とする取付部（３０）と、
を備えたことを特徴とする靴ホルダー。
【請求項２】
請求項１において、
前記取付部（３０）は、前記左右支持部（１２，１２）の両端部または前記アーチ部（２０）の両端部に設けられていることを特徴とする靴ホルダー。
【請求項３】
靴底（５１）の底面（５２）を支持可能な底面支持部（１１）と、
この底面支持部（１１）に靴底（５１）の底面（５２）が当接するように配置される靴（５０）の左右に配置され、前記底面支持部（１１）から前記靴（５０）の履き口（５３）の左右に伸びる左右支持部（１２，１２）と、
正面視で、これら左右支持部（１２，１２）の上部同士を湾曲状に連結し、上方に湾曲して靴（５０）の拘束を解放可能する解放位置（Ｐ１）と、下方に湾曲して前記履き口（５３）から靴（５０）の内方（５４）に入り靴（５０）の動きを拘束する拘束位置（Ｐ２）とを選択的に取り得る、可撓性を有するアーチ部（２０）と、を備えたホルダーを一対備え、
これら一対のホルダーの底面支持部（１１）同士を連結し、洗濯機内、脱水機内、または乾燥機内において、前記一対のホルダーの左右支持部（１２，１２）の両端部またはアーチ部２０の両端部を洗濯機内面、脱水機内面、または乾燥機内面に押し付けるように前記一対のホルダーの底面支持部（１１）同士を離間させる方向へ付勢する連結部（４０）を備えていることを特徴とする靴ホルダー。
【請求項４】
請求項１〜３のうちいずれか一項において、
前記アーチ部（２０）は、前記解放位置（Ｐ１）にあるとき、当該解放位置（Ｐ１）をアーチ部（２０）自身の弾性力によって維持することを特徴とする靴ホルダー。
【請求項５】
請求項１〜４のうちいずれか一項において、
前記アーチ部（２０）の両端は、左右支持部（１２）の上部外側に固定され、前記アーチ部（２０）が拘束位置（Ｐ２）にあるとき、前記アーチ部（２０）の両端（２１）が、それぞれ左右支持部（１２）の上部（１２ｂ）を覆うことを特徴とする靴ホルダー。
【発明の詳細な説明】
【技術分野】
【０００１】
本発明は、靴ホルダーに関する。より詳しくは、主として洗濯機による洗濯および／または乾燥機（乾燥機能を有する洗濯機を含む。以下同じ）による乾燥に適した靴ホルダーに関するものである。
【背景技術】
【０００２】
従来、例えば特許文献１に見られるように、
「縦型の家庭用洗濯機で運動靴を洗うための運動靴洗濯ネットを提供する」ことを課題とし、
「運動靴洗濯ネット本体１において、互いに離間して靴収納袋８、９を設け、靴収納袋の内部には靴を固定する紐１１を取り付け、また運動靴の出し入れをスムーズにするためファスナー１０を取り付けている。一対の靴収納袋は一定の距離で離間するため仕切帯２で仕切り、洗濯時に運動靴同士がぶつからないようにしている。仕切帯には浮力を発生させる浮力材を内部に設置し、洗濯槽内部の水流を作る円板の羽根と運動靴がなるべく接触しないようにしている」運動靴洗濯ネット（同文献要約欄）が知られている。
【０００３】
同文献００１１段落には、
「本考案による運動靴洗濯ネットは、運動靴を入れる一対の靴収納袋の間に一定の間隔を連結・保持するための仕切帯、また仕切帯の内部に浮力を発生させる浮力材を設置したことで、洗濯の際、靴収納袋が浮力材を中心に洗濯槽の回転軸に合せて回転し、靴の洗濯に必要な水深が最小限に抑えられ必要水量の節水となり、運動靴が洗濯中に靴同士でぶつかったり、水流を作り出す回転板とぶつかったりすることがないため洗濯音が静かになった。脱水行程時においても運動靴洗濯ネット内で左右に収納された運動靴が遠心力を受けて、洗濯槽の回転軸に合せて回転するため洗濯槽の側壁に偏ることがないため、脱水が静かになった。」
と記載されている。
【０００４】
しかし、この運動靴洗濯ネットでは、靴は靴収納袋内に収納された状態で、洗濯機内で浮遊しながら洗濯されるので、靴に対する効果的な水流が得られにくく、良好な洗浄効果が必ずしも期待できない。
また、脱水行程時においても、靴は靴収納袋内に収納された状態で遠心力を受けるから、良好な脱水効果が必ずしも期待できない。
【０００５】
また、従来、例えば特許文献２に見られるように、
「靴を洗った際、洗濯機の脱水機能を使って効率よく脱水し、またそのままで効率よく干すことのできる、洗濯機脱水漕用の靴保持具」であり、
「基台（１）の下方表面に、バネ接合部（３）を介して挟持板（２）を、先端が開閉自在に設け、基台（１）の裏面には吸盤（４）を、上方にはフック（５）を設けたことを特徴とする、洗濯機脱水漕用の靴保持具」（同文献要約欄）が知られている。
【０００６】
しかしこの洗濯機脱水漕用の靴保持具は、脱水・乾燥のためのものであるから、靴を洗濯するものとしては適していない。基台１と挟持板２の先端部とで靴の爪先部分を把持するようにして吊し、さらに基板１の上部を吸盤４で脱水槽８の内面に吊す構造であるから、この靴保持具および保持された靴の状態が不安定となるため、靴の洗濯には適していない。
【０００７】
また、従来、例えば特許文献３に見られるように、
「洗濯機を用いて靴の洗浄、すすぎ、および脱水を自動で行うことを可能とする靴の洗浄補助具を提供する」ことを課題とし、
「洗濯機の洗濯槽内に靴を保持するための靴の洗浄補助具１であって、長手方向に伸縮する支持部材１０と、支持部材１０の圧縮方向の変位に対向して伸張方向の反力を発するスプリング１８と、支持部材１０の一端に設けられ、該支持部材１０に垂直な方向に延在してなる第１靴保持部２０と、支持部材１０の他端に設けられ、該支持部材１０に垂直な方向に延在してなる第２靴保持部３０と、を備える」靴の洗浄補助具（同文献要約欄）も知られている。
【０００８】
同文献００２１、００２２段落に記載されているように、
この補助具１によれば、図３に示すとおり、靴は、補助具１の両端に設けられた第１靴保持部２０および第２靴保持部３０と洗濯槽とに挟まれて固定され、洗濯機を駆動させて、洗浄、すすぎ、および脱水を行うことができる。
【０００９】
しかしこの補助具１では、図３に示されるように、靴底を洗濯槽（脱水槽）の内周面に押し付けるようにして固定されるため、良好な脱水効果は期待できない。遠心力で飛ばされるべき靴内の水の移動が靴底によって阻害されるからである。
【先行技術文献】
【特許文献】
【００１０】
【特許文献１】実用新案登録第3224122号公報
【特許文献２】特開２００３−７９９９４号公報
【特許文献３】特開2011-30744号公報
【発明の概要】
【発明が解決しようとする課題】
【００１１】
本発明が解決しようとする課題は、主として洗濯機による洗濯および／または乾燥機による乾燥に適した靴ホルダーを提供することである。
【課題を解決するための手段】
【００１２】
上記課題を解決するために本発明の靴ホルダーは、
靴底の底面を支持可能な底面支持部と、
この底面支持部に靴底の底面が当接するように配置される靴の左右に配置され、前記底面支持部から前記靴の履き口の左右に伸びる左右支持部と、
正面視で、これら左右支持部の上部同士を湾曲状に連結し、上方に湾曲して靴の拘束を解放可能する解放位置と、下方に湾曲して前記履き口から靴の内方に入り靴の動きを拘束する拘束位置とを選択的に取り得る、可撓性を有するアーチ部と、
を備えたことを特徴とする。
【００１３】
この靴ホルダーは、上記の構成となっているので、次のように使用することで、次のような作用効果が得られる。
アーチ部を解放位置にした状態で、アーチ部と底面支持部との間、かつ、左右支持部の間において底面支持部で靴の底面を支持するように、かつ靴の履き口が左右支持部の間に位置するように靴を配置した後、アーチ部を、靴の履き口から靴の内方に入れるようにして拘束位置へと変位させる。
これによって、可撓性を有するアーチ部が靴の履き口から靴の内方に入り込み、靴は、その底面が底面支持部で支持されるとともに、左右の動きが靴内に入り込んだアーチ部と左右支持部とで規制され、かつ上方への動きがアーチ部によって規制されることとなる。
すなわち、この靴ホルダーによれば、靴は、上下方向の動きが底面支持部とアーチ部とで規制され、左右方向の動きが靴内に入り込んだアーチ部と左右支持部とで規制された状態となるため、靴を良好に保持することが可能となる。
したがって、洗濯機および／または乾燥機内で靴を良好に保持することが可能となるため、靴を良好に洗濯および／または乾燥させることが可能となる。
【００１４】
この靴ホルダーにおいては、
前記左右支持部の両端部または前記アーチ部の両端部には、このホルダーを洗濯機の内面、脱水機の内面、または、乾燥機の内面に取付可能とする取付部が設けられている構成とすることができる。
このように構成すると、ホルダーを洗濯機の内面、脱水機の内面、または、乾燥機の内面に取付可能とする取付部が左右支持部の両端部またはアーチ部の両端部に設けられていることにより、靴ホルダーおよび靴を洗濯機の内面、脱水機の内面、または乾燥機の内面に安定した状態で取り付けることが可能となる。
そして、洗濯機の脱水機能または脱水機を用いて脱水する際には、取付部が左右支持部の両端部またはアーチ部の両端部に設けられていることにより、ホルダーで保持された靴は、その履き口が脱水機等の半径方向外側に向いた状態となるので、良好な脱水効果が得られる。
【００１５】
この靴ホルダーにおいては、
前記ホルダーを一対備え、
これら一対のホルダーの底面支持部同士を連結し、洗濯機内、脱水機内、または乾燥機内において、前記一対のホルダーの左右支持部の両端部またはアーチ部の両端部を洗濯機内面、脱水機内面、または乾燥機内面に押し付けるように前記一対のホルダーの底面支持部同士を離間させる方向へ付勢する連結部を備えていることを特徴とする。
このように構成すると、一対のホルダーの底面支持部同士を連結する連結部によって、洗濯機内、脱水機内、または乾燥機内において、一対のホルダーの左右支持部の両端部またはアーチ部の両端部が洗濯機内面、脱水機内面、または乾燥機内面に押し付けられるので、靴ホルダーおよび靴を洗濯機の内面、脱水機の内面、または乾燥機の内面に安定した状態で取り付けることが可能となる。
そして、洗濯機の脱水機能または脱水機を用いて脱水する際には、一対のホルダーの左右支持部の両端部またはアーチ部の両端部が洗濯機内面、脱水機内面、または乾燥機内面に押し付けられるていることにより、ホルダーで保持された靴は、その履き口が脱水機等の半径方向外側に向いた状態となるので、良好な脱水効果が得られる。
【００１６】
この靴ホルダーにおいては、
前記アーチ部は、前記解放位置にあるとき、当該解放位置をアーチ部自身の弾性力によって維持する構成とすることができる。
このように構成すると、ホルダーへの靴のセットを行いやすくなる。
【００１７】
この靴ホルダーにおいては、
前記アーチ部の両端は、左右支持部の上部外側に固定され、前記アーチ部が拘束位置にあるとき、前記アーチ部の両端が、それぞれ左右支持部の上部を覆う構成とすることができる。
このように構成すると、左右支持部の上部は、アーチ部の両端部を介して洗濯機内面、脱水機内面、または乾燥機内面に当接することとなるので、前記内面に対する良好な当接状態を得ることができる。
【図面の簡単な説明】
【００１８】
【図１】本発明に係る靴ホルダーの実施の形態を示す図で、（ａ）は平面図、（ｂ）は正面図、（ｃ）は左側面図。
【図２】作動説明図で、（ａ）は平面図、（ｂ）は正面図。
【図３】取付部３０を設けた状態の図で、（ａ）は正面図、（ｂ）は左側面図。
【図４】取付部３０を設けた状態の作動説明図で、（ａ）は正面図、（ｂ）は左側面図。
【図５】洗濯機等の壁面Ｗに取り付けた状態の平面図。
【図６】（ａ）は他の実施の形態の正面図、（ｂ）は作動説明図で、図７における６矢視図。
【図７】洗濯機等の壁面Ｗに取り付けた状態の平面図。
【図８】（ａ）は他の実施の形態の正面図、（ｂ）は作動説明図。
【図９】洗濯機等の壁面Ｗに取り付けた状態の部分省略平面図。
【発明を実施するための形態】
【００１９】
以下、本発明に係る靴ホルダーの実施の形態について図面を参照して説明する。なお、各図において、同一部分ないし相当する部分には、同一の符号を付してある。
【００２０】
図１に示す実施の形態の靴ホルダー１は、
靴底５１の底面５２を支持可能な底面支持部１１と、
この底面支持部１１に靴底５１の底面５２が当接するように配置される靴５０の左右に配置され、前記底面支持部１１から前記靴５０の履き口５３の左右に伸びる左右支持部１２，１２と、
正面視で、これら左右支持部１２，１２の上部１２ｂ、１２ｂ同士を湾曲状に連結し、上方に湾曲して靴５０の拘束を解放可能する解放位置Ｐ１と、下方に湾曲して前記履き口５３から靴５０の内方５４に入り靴５０の動きを拘束する拘束位置Ｐ２（図２参照）とを選択的に取り得る、可撓性を有するアーチ部２０と、
を備えている。
【００２１】
この靴ホルダー１は、上記の構成となっているので、次のように使用することができ、次のような作用効果が得られる。
【００２２】
図１に示すように、アーチ部２０を解放位置Ｐ１にした状態で、アーチ部２０と底面支持部１１との間、かつ、左右支持部１２，１２の間において底面支持部１１で靴５０の底面５２を支持するように、かつ靴５０の履き口５３が左右支持部１２，１２の間に位置するように靴５０を配置した後、アーチ部２０を、靴５０の履き口５３から靴５０の内方５４に入れるようにして、図２に示す拘束位置Ｐ２へと変位させる。
【００２３】
これによって、図２に示すように、可撓性を有するアーチ部２０が靴５０の履き口５３から靴５０の内方５４に入り込み、靴５０は、その底面５２が底面支持部１１で支持されるとともに、左右の動きが靴５０内に入り込んだアーチ部２０と左右支持部１２，１２とで規制され、かつ上方および前後への動きがアーチ部２０によって規制されることとなる。
【００２４】
すなわち、この靴ホルダー１によれば、靴５０は、上下方向の動きが底面支持部１１とアーチ部２０とで規制され、左右方向の動きが靴５０内に入り込んだアーチ部２０と左右支持部１２，１２とで規制され、前後方向の動きが靴５０内に入り込んだアーチ部２０で規制された状態となるため、靴５０を良好に保持することが可能となる。
【００２５】
したがって、洗濯機および／または乾燥機内で靴５０を良好に保持することが可能となるため、靴５０を良好に洗濯および／または乾燥させることが可能となる。
【００２６】
なお、図２において、靴５０の左右５５，５５は、左右支持部１２，１２には当接していないが、図２に示す状態から靴５０の左右方向への大きな動きは、左右支持部１２，１２によって規制される。また、靴５０のサイズや形状、あるいはこの靴ホルダー１の各部の寸法によっては、靴５０の左側および／または右側（５０）は、初めから左右支持部１２に当接することもあり得る。また、図２（ｂ）においては、アーチ部２０は靴底５１の上面５１ｕに接触していないが、靴５０のサイズや形状、あるいはこの靴ホルダー１の各部の寸法によっては、接触する場合もある。ただし、靴底５１の上面５１ｕに対する水流による洗浄効果を高めるためには、アーチ部２０は靴底５１の上面５１ｕに接触していない方が望ましい。アーチ部２０は靴５０の履き口５３から靴５０の内方５４に入り込んでいるだけであり、靴５０の履き口５３を閉塞してはいないので、靴５０内への水の流入・流出は阻害されない。
【００２７】
図１に示すように、アーチ部２０は、解放位置Ｐ１にあるとき、当該解放位置Ｐ１をアーチ部２０自身の弾性力によって維持する。
このように構成すると、ホルダー１への靴５０のセットを行いやすくなる。
【００２８】
このように、自身の弾性力によって凸状の解放位置Ｐ１を維持するアーチ部２０は、その頂部２２を図１（ｂ）に矢印Ｆで示すように手指等で押し下げると、その過程である境界を越えると、自身の弾性力によって図２（ｂ）に示すように凸状態から凹状態である拘束位置Ｐ２へと自動的に変位する。このため、ホルダー１への靴５０のセットをワンタッチで行うことが可能となる。
【００２９】
例えば図３，図４、図５に示すように、左右支持部１２，１２の両端部（上端部）１２ｂには、このホルダー１を洗濯機、脱水機、または、乾燥機（以下、洗濯機等ともいう）の内面Ｗ（図５）に取付可能とする取付部３０を設けることができる。なお、図示の取付部３０は吸盤で構成されているが、後述するように、他の構成とすることもできる。
【００３０】
このように構成すると、例えば図５に示すように、靴ホルダー１で保持した靴５０を、洗濯機等の内面Ｗに安定した状態で取り付けることが可能となる。なお、図５は、２つの靴ホルダー１でそれぞれ保持した一足の靴５０、５０を、洗濯機等の内面Ｗに取り付けた状態を示している。
【００３１】
そして、洗濯機の脱水機能または脱水機を用いて脱水する際には、取付部３０が左右支持部１２，１２の両端部１２ｂに設けられていることにより、例えば図５に示すように、ホルダー１で保持された靴５０は、その履き口５３が脱水機等の半径方向外側（遠心力が作用する方向で有り、矢印Ｒ１方向）に向いた状態となるので、良好な脱水効果が得られる。
【００３２】
なお、図示のものは、左右支持部１２，１２の両端部１２ｂに取付部３０が設けられているが、取付部３０は、アーチ部２０の両端部２１に設けた構成とすることもでき、そのように構成した場合でも、上記の作用効果は得られる。
【００３３】
図６，図７に示す実施の形態は、前記ホルダー１を一対備え、
これら一対のホルダー１の底面支持部１１同士を連結し、洗濯機内、脱水機内、または乾燥機内において、一対のホルダー１のアーチ部２０の両端部２１，２１を洗濯機等の内面Ｗに押し付けるように一対のホルダー１の底面支持部１１同士を離間させる方向へ付勢する連結部４０を備えている。なお、図６，図７に示すものは、アーチ部２０の両端部２１，２１を洗濯機等の内面Ｗに押し付ける構成であるが、左右支持部１２，１２の両端部１２ｂを押し付ける構成とすることもできる。
【００３４】
このように構成すると、図７および図６（ｂ）に示すように、一対のホルダー１，１の底面支持部１１同士を連結する連結部４０によって、洗濯機等の内部において、一対のホルダー１１，１１のアーチ部２０の両端部２１，２１が洗濯機等の内面Ｗに押し付けられるので、靴ホルダー１および靴５０を洗濯機等の内面Ｗに安定した状態で取り付けることが可能となる。
【００３５】
そして、洗濯機の脱水機能または脱水機を用いて脱水する際には、一対のホルダー１，１のアーチ部２０の両端部２１が洗濯機等の内面Ｗに押し付けられるていることにより、ホルダーで保持された靴５０は、その履き口５３が脱水機等の半径方向外側（遠心力が作用する方向で有り、矢印Ｒ１方向）に向いた状態となるので、良好な脱水効果が得られる。
【００３６】
なお、図６，図７に示すものは、アーチ部２０の両端部２１，２１を洗濯機等の内面Ｗに押し付ける構成であるが、左右支持部１２，１２の両端部１２ｂを押し付ける構成とすることもできる。その場合も上記の作用効果が得られる。
【００３７】
靴ホルダー１の各部は、公知の適宜の材料で構成することができる。例えば、
底面支持部１１および左右支持部１２，１２は、合成樹脂で一体に形成することができる。
アーチ部２０は可撓性を有する板状の合成樹脂ベルトやゴムベルトで構成することができる。
【００３８】
吸盤３０は、公知の適宜の吸盤を採用し得る。
図３，図４において、１３は左右支持部１２の上部１２ｂに設けられた吸盤用の連結部、３１はこの連結部１３と吸盤３０とを連結する、紐、ワイヤー、リンク、その他の連結部材である。
【００３９】
図６，図７に示す連結部４０は、弾性（バネ性）を有する合成樹脂や金属製の板状体で構成することができる。
図６，図７において１４は、連結部４０の端部に対する底面支持部１１側の連結部であり、連結部４０の端部を挟むようにして連結部４０の端部４１と固定されている。
【００４０】
左右支持部１２の上部１２ｂとアーチ部２０の端部２１との接合は、ヒンジ、ボルトナット、リベット、接着、溶着等公知の適宜の接合手段をとり得る。
図１〜図７に示したものは、ヒンジ６０を採用している。
【００４１】
図８，図９に示すように、アーチ部２０の両端２１は、左右支持部１２の上部１２ｂの外側に固定され、アーチ部２０が拘束位置Ｐ２（図８（ｂ））にあるとき、アーチ部２０の両端２１が、それぞれ左右支持部１２の上部１２ｂを覆う構成とすることができる。
【００４２】
このように構成すると、左右支持部１２の上部１２ｂは、弾性を有するアーチ部２０の両端部２１を介して洗濯機等の内面Ｗに当接することとなるので（例えば図９参照）、洗濯機等の内面Ｗに対する良好な当接状態を得ることができる。
【００４３】
以上、本発明の実施の形態について説明したが、本発明は上記の実施の形態に限定されるものではなく、本発明の要旨の範囲内において適宜変形実施可能である。例えば、
【００４４】
上記実施の形態の取付部３０は吸盤で構成したが、吸盤に代えて簡単なフックとフック受けとをホルダー１と洗濯機とに設けてもよい。例えば、ホルダー１の左右支持部１２の上部１２ｂにフックを、洗濯機等の壁面Ｗにフック受けを設けてもよい。
【符号の説明】
【００４５】
１：    靴ホルダー
１１：    底面支持部
１２：    左右支持部
２０：    アーチ部
３０：    取付部
４０：    連結部
５０：    靴
５１：    靴底
５３：    履き口
【要約】
【課題】主として洗濯機による洗濯および／または乾燥機による乾燥に適した靴ホルダーを提供する。
【解決手段】靴底５１の底面５２を支持可能な底面支持部１１と、底面支持部１１に靴底５１の底面５２が当接するように配置される靴５０の左右に配置され、底面支持部１１から靴５０の履き口５３の左右に伸びる左右支持部１２，１２と、正面視で、左右支持部１２，１２の上部同士を湾曲状に連結し、上方に湾曲して靴５０の拘束を解放可能する解放位置Ｐ１と、下方に湾曲して履き口５３から靴５０の内方５４に入り靴５０の動きを拘束する拘束位置Ｐ２とを選択的に取り得る、可撓性を有するアーチ部２０とを備える。
【選択図】図１【図１】
0006950112.tif 000002
【図２】
0006950112.tif 000003
【図３】
0006950112.tif 000004
【図４】
0006950112.tif 000005
【図５】
0006950112.tif 000006
【図６】
0006950112.tif 000007
【図７】
0006950112.tif 000008
【図８】
0006950112.tif 000009
【図９】
0006950112.tif 000010